(57)【要約】【課題】レンズホルダーに対物レンズを取り付ける場合、レンズホルダーの、対物レンズの鍔部との接触面に成形ばらつきが生じていると、対物レンズの取付時に安定しないため、対物レンズ取付後のレンズのコマ収差調整が煩雑となり、コマ収差調整ばらつきも大きくなる問題があった。【解決手段】  対物レンズの集光レンズ部が挿入される取付孔と、取付孔周囲で対物レンズの鍔部が載置される周縁部と、周縁部に設けられ、周縁部の主面より高く、互いに離間された３つの突起部を有するレンズホルダーを提供する。又、当該レンズホルダーと、該レンズホルダの取付孔に集光レンズ部が挿入され３つの突起部に鍔部が当接して支持された対物レンズと、を有する光ピックアップ装置を提供する。【選択図】    図１
2011181132.tif 000002
【特許請求の範囲】
【請求項１】
光ディスクの信号記録層にレーザー光を集光する対物レンズを支持するレンズホルダーであって、
前記対物レンズの集光レンズ部が挿入される取付孔と、
該取付孔を囲む周縁部と、
該周縁部に互いに離間して該周縁部の主面より突出して設けられ、前記対物レンズの鍔部に当接して該鍔部を支持する３つの突起部と、
を具備することを特徴とするレンズホルダー。
【請求項２】
前記周縁部は、前記突起部のうち１つの突起部と前記取付孔の中心部とを通る線分によって２つの半円弧に分割され、該２つの半円弧上に前記突起部のうち２つの突起部がそれぞれ配置されることを特徴とする請求項１に記載のレンズホルダー。
【請求項３】
前記突起部は互いに等間隔で配置されることを特徴とする請求項２に記載のレンズホルダー。
【請求項４】
前記３つの突起部は、それぞれが前記周縁部の成形歪みを吸収する高さに設けられることを特徴とする請求項２または請求項３のいずれかに記載のレンズホルダー。
【請求項５】
前記突起部は、それぞれの突起頂点を含む一の平面が所定の角度で傾斜する高さに設けられることを特徴とする請求項４に記載のレンズホルダー。
【請求項６】
他の対物レンズの集光レンズ部が挿入される他の取付孔と、
該他の取付孔を囲む他の周縁部と、
該他の周縁部に互いに離間して該他の周縁部の主面より突出して設けられ、前記他の対物レンズの鍔部に当接して該鍔部を支持する３つの他の突起部を有することを特徴とする請求項１から請求項５のいずれかに記載のレンズホルダー。
【請求項７】
前記他の突起部のうち１つの突起部は、前記レンズホルダーの長辺に沿った同一線上で前記１つの突起部と最も離間した位置に設けられることを特徴等する請求項６に記載のレンズホルダー。
【請求項８】
前記３つの他の突起部は、それぞれが前記他の周縁部の成形歪みを吸収する高さに設けられることを特徴とする請求項６または請求項７のいずれかに記載のレンズホルダー。
【請求項９】
前記他の突起部は、それぞれの突起頂点を含む他の平面が他の所定の角度で傾斜する高さに設けられることを特徴とする請求項８に記載のレンズホルダー。
【請求項１０】
支持ワイヤーにて光ディスクの信号記録層に対して垂直方向への変位動作及び光ディスクの径方向への変位動作を可能に支持され、且つフォーカスコイルが設けられている請求項１から請求項５のいずれかに記載のレンズホルダーと、
該レンズホルダーの前記取付孔に集光レンズ部が挿入され、前記突起部に前記集光レンズ部の外周の鍔部が当接して支持された対物レンズと、
を具備することを特徴とする光ピックアップ装置。
【請求項１１】
支持ワイヤーにて光ディスクの信号記録層に対して垂直方向への変位動作及び光ディスクの径方向への変位動作を可能に支持され、且つフォーカスコイルが設けられている請求項６から請求項９のいずれかに記載のレンズホルダーと、
該レンズホルダーの前記取付孔に集光レンズ部が挿入され、前記突起部に前記集光レンズ部の外周の鍔部が当接して支持された一の対物レンズと、
前記レンズホルダーの前記他の取付孔に集光レンズ部が挿入され、前記他の突起部に前記集光レンズ部の外周の鍔部が当接して支持された他の対物レンズと、
を具備することを特徴とする光ピックアップ装置。
【発明の詳細な説明】
【技術分野】
【０００１】
本発明は、光ディスクに記録されている信号の読み出し動作や光ディスクに信号の記録動作を行う対物レンズを支持するレンズホルダー、およびこれを用いた光ピックアップ装置に関する。
【背景技術】
【０００２】
光ピックアップ装置から照射されるレーザー光を光ディスクの信号記録層に照射することによって信号の読み出し動作や信号の記録動作を行うことができる光ディスク装置として、ＣＤ（Compact  Disc）規格やＤＶＤ規格（Digital  Versatile  Disc）と呼ばれる光ディスクを使用するものが一般に普及している。また、最近では記録密度を向上させた光ディスク、即ちＢｌｕ−ｒａｙ  Ｄｉｓｃ（以下ＢＤ）規格やＨＤ  ＤＶＤ（High  Density  Digital  Versatile  Disk）規格の光ディスクを使用するものが開発されている。
【０００３】
ＣＤ規格、ＤＶＤ規格、ＢＤ規格、ＨＤ  ＤＶＤ規格の光ディスクの信号記録層はそれぞれ異なる位置に設けられている。従って、各信号記録層から信号の読み出し動作や、各信号記録層への信号の記録動作を行うため、それぞれの光ディスクにレーザー光を集光する対物レンズはそれぞれの規格に対応した開口率ＮＡを有するように作製される。
【０００４】
光ディスク装置の高密度化に伴いそれに対応した対物レンズの作製難度は高くなり、特に、対物レンズのレーザー光の入射面と出射面がずれたときに発生するコマ収差は開口率ＮＡと対応して増大し、すなわちＢＤ用対物レンズが最も大きくなる。
【０００５】
コマ収差は、対物レンズの作製で調整するかあるいは、光ピックアップ装置に組み込んだ後、光ピックアップ装置としての許容範囲に収めるように適宜補正しているが、例えばＢＤ用対物レンズにおいては、光ピックアップ装置として許容できる程度にコマ収差の小さい対物レンズの作製は現状では困難である。
【０００６】
また、１つの対物レンズにて全ての規格の光ディスクに互換性を有するＢＤ／ＤＶＤ／ＣＤ互換の対物レンズが開発されているが、これも、開口率ＮＡは０．８５であるため、同様の問題があり、互換のためにレンズ形状が複雑であるため更に製造難度が高くコマ収差も大きい問題がある。
【０００７】
そこで、光ピックアップ装置としてコマ収差を補正して使いこなす事が必須となっている。具体的には、個々の対物レンズのコマ収差の量と方向を測定し、コマ収差を打ち消す角度と方向に対物レンズを傾ける調整を行いレンズホルダーに取り付ける必要がある。
【０００８】
一方、ＣＤ規格及びＤＶＤ規格の光ディスクと、ＢＤ規格やＨＤ  ＤＶＤ規格の光ディスクに互換性を有する光ディスク装置も知られている（例えば特許文献２参照。）。この場合は例えばＣＤ規格及びＤＶＤ規格の光ディスクにレーザー光を照射する対物レンズと、例えばＢｌｕ−ｒａｙ  Ｄｉｓｃ規格の光ディスクにレーザー光を照射する対物レンズの２つの対物レンズを１つのレンズホルダーに搭載している（例えば特許文献１、特許文献２参照。）。
【０００９】
このように、２つの対物レンズを１つのレンズホルダーに搭載する光ピックアップ装置では、２つの対物レンズの相対的なコマ収差も発生し、ＢＤ用対物レンズを用いることで相対的なコマ収差も大きくなる。従って、対物レンズの取付時に、個々の対物レンズの調整に加えて、相対的なコマ収差を補正するための調整が一般的に行われている（例えば特許文献３参照。）。
【先行技術文献】
【特許文献】
【００１０】
【特許文献１】特開２００５−４９２０号公報
【特許文献２】特開２００７−７３１７３号公報
【特許文献３】特開２００７−２８７３１１号公報
【発明の概要】
【発明が解決しようとする課題】
【００１１】
図１２は、従来の対物レンズ３２１とレンズホルダー１２０を説明するための図であり、図１２（Ａ）が平面図、図１２（Ｂ）が図１２（Ａ）のｊ−ｊ線断面図である。
【００１２】
対物レンズ３２１は、集光レンズ部３２１ａがレンズホルダー１２０の取付孔１２１に挿入される。そして集光レンズ部３２１ａの周縁の鍔部３２１ｂが、取付孔１２１を囲むレンズホルダー１２０の周縁部（取付部）１２５と当接するように、つまり環状の鍔部３２１ｂと周縁部１２５とが平面で接するように、搭載される。
【００１３】
そして、例えばオートコリメータなどで確認しながら、対物レンズ３２１を最適な角度に傾けて調整する。具体的には、個々の対物レンズのコマ収差の量と方向を測定し、コマ収差を打ち消す角度と方向に対物レンズを傾ける調整を行いレンズホルダーに取り付ける。例えば、１つのレンズホルダー１２０に対して対物レンズ３２１が１つの場合は、アクチュエータのチルト調整機能で調整する。また、１つのレンズホルダー１２０に対して対物レンズ３２が２つの場合は、１つ目の対物レンズ３２１を固定した後、その対物レンズ３２１との相対コマ量が小さくなるように２つ目の対物レンズ３２１の調整を行い、固定する。
【００１４】
しかしレンズホルダー１２０は樹脂成形品であるため、充填密度などによって、レンズホルダー１２０の例えば全体として長軸方向に若干の成形歪みや成形ばらつきが生ずる。つまり、対物レンズ３２1が搭載される周縁部１２５の主面Ｓｆも、そのレンズホルダー１２０または周縁部１２５の成形歪みやそのばらつきにより、実際には若干の歪みやそのばらつき生じている。
【００１５】
周縁部１２５に歪みが生じた場合、図１２（Ｂ）の断面構造において、基準面（水平面）ＥＳ’より盛り上がって高くなる部分（図１２（Ａ）の×印）と、低くなる部分が生じる。そして、周縁部１２５に対物レンズ３２１の鍔部３２１ｂを当接させた場合でも、周縁部１２５と鍔部３２１ｂに非接触の領域が発生する場合がある。つまり、鍔部３２１ｂは、周縁部１２５の高い部分（盛上部）のうち、最も高い３つの支持部ＰＲによって支えられる。
【００１６】
レンズホルダ１２０の成形樹脂や充填密度が同じ場合、成形上の歪みの傾向（例えば捩れる方向、傾く方向など）は、全体としては同様に生じるものの、このような成形上の歪みは位置や、高さにおいて正確な精度で管理できるものではないため、所望の位置および高さ（角度）で対物レンズ３２１をレンズホルダー１２０に設置できないこととなる。
【００１７】
尚、図１２（Ｂ）及び以下の断面図において、支持部ＰＲは概略的に示している。つまり支持部ＰＲは、本実施形態の断面図において図示可能な幅の狭い凸状（盛上部）として示している。しかし実際は、レンズホルダー１２０全体の歪みによって環状の周縁部２２も全体として緩やかに高さが変位しているものであり、そのうち最も高い３点が支持部ＰＲとなる。
【００１８】
対物レンズ３２１は、直径が例えば４ｍｍと小さいため、周縁部１２５の成形歪みや成形ばらつきの影響を受け易く、支持部ＰＲによって対物レンズ３２１の両端で、例えば７μｍの高低差が生じた場合、対物レンズ３２１はおよそ０．１度の角度ずれが生じてしまう。
【００１９】
対物レンズ３２１の取付時には、作業者が個々に角度調整を行っており、対物レンズ３２１毎のコマ収差の発生ばらつきや作業者の熟練度などによる調整のばらつきが問題となる。そしてこれにレンズホルダーの成形ばらつきの要因が加わると、調整ばらつきは更に大きくなり、性能劣化や調整作業の複雑化によって工数が増大する問題があった。
【００２０】
このことは、１つのレンズホルダーに２つの対物レンズを搭載する場合においても、個々の対物レンズの調整ばらつきや、相対コマ収差の補正のばらつきに影響を及ぼす問題があった。
【課題を解決するための手段】
【００２１】
本発明は、係る課題に鑑みてなされ、第１に光ディスクの信号記録層にレーザー光を集光する対物レンズを支持するレンズホルダーであって、前記対物レンズの集光レンズ部が挿入される取付孔と、該取付孔を囲む周縁部と、該周縁部に互いに離間して該周縁部の主面より突出して設けられ、前記対物レンズの鍔部に当接して該鍔部を支持する３つの突起部と、を具備することにより解決するものである。
【００２２】
第２に、上記のレンズホルダーに、他の対物レンズの集光レンズ部が挿入される他の取付孔と、該他の取付孔を囲む他の周縁部と、該他の周縁部に互いに離間して該他の周縁部の主面より突出して設けられ、前記他の対物レンズの鍔部に当接して該鍔部を支持する３つの他の突起部を有することにより解決するものである。
【００２３】
第３に、光ピックアップ装置において、支持ワイヤーにて光ディスクの信号記録層に対して垂直方向への変位動作及び光ディスクの径方向への変位動作を可能に支持され、且つフォーカスコイルが設けられている上記のレンズホルダーと、該レンズホルダーの前記取付孔に集光レンズ部が挿入され、前記突起部に前記集光レンズ部の外周の鍔部が当接して支持された対物レンズと、を具備することにより解決するものである。
【００２４】
第４に、光ピックアップ装置において、支持ワイヤーにて光ディスクの信号記録層に対して垂直方向への変位動作及び光ディスクの径方向への変位動作を可能に支持され、且つフォーカスコイルが設けられている上記のレンズホルダーと、該レンズホルダーの前記取付孔に集光レンズ部が挿入され、前記突起部に前記集光レンズ部の外周の鍔部が当接して支持された一の対物レンズと、前記レンズホルダーの前記他の取付孔に集光レンズ部が挿入され、前記他の突起部に前記集光レンズ部の外周の鍔部が当接して支持された他の対物レンズと、を具備することにより解決するものである。
【００２５】
本発明は、レンズホルダーの周縁部に設けた３つの突起部によって対物レンズの鍔部を当接して支持し、複数のレンズホルダー間において対物レンズを同じ位置で支持するものである。また、３つの突起部によって対物レンズを支持し、複数のレンズホルダー間において対物レンズ（の基準面）をレーザー光の光軸に対して所定の角度で支持するものである。
【００２６】
更に、２つの対物レンズを１つのレンズホルダーに搭載する場合に、２つの周縁部に搭載する対物レンズ（の基準面）が、それらの相対コマ収差量を低減する角度でそれぞれ傾斜するように３つの突起部を設け、対物レンズを搭載、固定するものである。
【発明の効果】
【００２７】
本発明の実施の形態によれば、以下の効果が得られる。
【００２８】
第１に、対物レンズの鍔部が載置されるレンズホルダーの周辺部に３つの突起部を設けることにより、３点の突起頂点で対物レンズを支持することができる。３つの突起部を、それぞれが周縁部の成形歪みを吸収する高さに設けることにより、レンズホルダーの周縁部に成型後の歪みや成形ばらつきがあっても、複数のレンズホルダー間において、対物レンズが均一（同じ位置、高さ（角度））に支持される。これにより、対物レンズのコマ収差の補正をするための回転調整時に、レンズホルダーの成形ばらつき又は成形歪みに起因する調整ばらつきを抑制できる。
【００２９】
第２に、１つの突起部と取付孔の中心部とを通る線分で二分割した場合に、周縁部の２つの半円弧のそれぞれに２つの突起部が配置されるようにすることで、３つの突起部で対物レンズを安定して支持することができる。
【００３０】
第３に、３つの突起部を等間隔で離間して配置することにより、３つの突起部で対物レンズを支持する場合の安定性が向上する。
【００３１】
第４に、３つの突起部は、それぞれの突起頂点を含む一の平面が所定の角度で傾斜する高さになるように、突起部を設けることで、対物レンズをレーザー光の光軸に対して予め所定の傾斜角度で配置できる。対物レンズは、対応する光ディスクの規格（ＢＤ用、ＤＶＤ用、ＣＤ用）によって、最大コマ収差発生量がほぼ特定されている。したがって、最大コマ収差発生量に対応する角度の２分の１の角度の傾斜を設けることにより、最大コマ収差発生量を低減したことと同様の効果が得られる。
【００３２】
第５に、例えば、ＢＤ用対物レンズとＤＶＤ／ＣＤ用対物レンズを１つのレンズホルダーに搭載する場合において、２つの対物レンズの鍔部がそれぞれ載置される２つの周縁部についてそれぞれ、３つの突起部を設けることにより、周縁部の成形ばらつきが生じていても、複数のレンズホルダー間で２つの対物レンズを均一（同じ位置、高さ（角度））に支持することができる。
【００３３】
第６に、１つのレンズホルダーに２つの対物レンズを載置する場合、それぞれの対物レンズの周縁部において、３つの突起部の突起頂点を含む平面が所定の角度で傾斜するよう、突起部を設けることにより、対物レンズをレーザー光の光軸に対して所定の角度で傾斜させてレンズホルダーに載置できる。
【００３４】
２つの対物レンズを１つのレンズホルダーに載置する場合は、それぞれの対物レンズのコマ収差に加えて、２つの対物レンズの相対的なコマ収差が発生する。一般的にこの調整は煩雑であるが、対物レンズの取り付け部（周縁部）に成形歪みや成形ばらつきがあると、相対コマ収差量のばらつきも大きくなり、更に調整が複雑となる。
【００３５】
しかし本実施形態では、それぞれ３つの突起部で対物レンズを安定して支持できる上、予め２つの対物レンズを、予め所定の角度、すなわち、それぞれ最大コマ収差発生量に対応する角度の２分の１の角度で傾斜させることにより、相対的な最大コマ収差発生量を低減したことと同様の効果が得られる。そのため作業工数や、調整ばらつきを低減できる。
【００３６】
第７に、上記のレンズホルダーを採用することで、安価で性能バラツキの少ない、光ピックアップ装置を提供できる。
【図面の簡単な説明】
【００３７】
【図１】本発明の第１の実施形態の光ピックアップ装置を説明する概略図である。
【図２】本発明の第１の実施形態の光ピックアップ装置を説明する概略図である。
【図３】本発明の第１の実施形態のアクチュエータおよびレンズホルダーを示す平面図である。
【図４】本発明の第１の実施形態の対物レンズを示す（Ａ）平面図、（Ｂ）断面図である。
【図５】本発明の第１の実施形態のレンズホルダーを示す（Ａ）平面図、（Ｂ）断面図、（Ｃ）断面図、（Ｄ）断面図である。
【図６】本発明の第１の実施形態の対物レンズおよびレンズホルダーを示す断面図である。
【図７】本発明の第２の実施形態の対物レンズおよびレンズホルダーを示す断面図である。
【図８】本発明の第３の実施形態の光ピックアップ装置を説明する概略図である。
【図９】本発明の第３の実施形態のアクチュエータおよびレンズホルダーを示す平面図である。
【図１０】本発明の第３の実施形態のレンズホルダーを示す（Ａ）平面図、（Ｂ）断面図である。
【図１１】本発明の第３の実施形態の対物レンズおよびレンズホルダーを示す断面図である。
【図１２】従来技術を説明するための（Ａ）平面図、（Ｂ）断面図である。
【発明を実施するための形態】
【００３８】
本発明の実施の形態を図１から図１１を用いて詳細に説明する。
【００３９】
図１および図２を参照して、本発明の第１の実施形態の光ピックアップ装置の光学系の概略を説明する。図１は、本実施形態の光ピックアップ装置５０の光学系を示す概略図である。図２は光ディスクと光学系との関係を示す概略図であり、図１のａ−ａ線断面図である。図２は、第１光ディスクＤ１に設けられている信号記録層Ｒ１の位置と対物レンズ３１との位置関係、第２光ディスクＤ２に設けられている信号記録層Ｒ２の位置と対物レンズ３１との位置関係、および第３光ディスクＤ３に設けられている信号記録層Ｒ３の位置と対物レンズ３１との位置関係を示す。
【００４０】
本実施形態では、一例として、Ｂｌｕ−ｒａｙ  Ｄｉｓｋ（以下ＢＤ）規格の光ディスク（第１光ディスクＤ１）、ＤＶＤ規格の光ディスク（第２光ディスクＤ２）及びＣＤ規格の光ディスク（第３光ディスクＤ３）に対応した１つの対物レンズ３１を有する光ピックアップ装置について説明する。
【００４１】
図１を参照して、光ピックアップ装置５０は、第１レーザーダイオード１、第１回折格子２、第２レーザーダイオード３、第２回折格子４、偏光ビームスプリッタ５、ハーフミラー６、１／４波長板７、コリメータレンズ８、収差補正用モーター９、立ち上げミラー１０、センサーレンズ１２、光検出器１３などがハウジング５１内に設けられている。
【００４２】
第１レーザーダイオード１は例えば波長が４０５ｎｍの青紫色光である第１レーザー光（実線）を放射する。第１回折格子２は第１レーザーダイオード１から放射される第１レーザー光が入射され、レーザー光を０次光であるメインビーム、＋１次光及び−１次光である２つのサブビームに分離する回折格子部（不図示）を有する。
【００４３】
第１レーザーダイオード１から放射される第１レーザー光（実線）は偏光ビームスプリッタ５の制御膜５ａに対してＰ偏光となるように設定される。この第１レーザー光の直線偏光方向の設定は、第１レーザーダイオード１を第１レーザー光の光軸を中心として回転させたり、あるいは１／２波長板を第１レーザーダイオード１と偏光ビームスプリッタ３との間に設けて１／２波長板により第１レーザーダイオード１から放射される第１レーザー光の直線偏光方向を変換させてもよい。
【００４４】
第２レーザーダイオード３は、例えば６５０ｎｍの赤色光である第２レーザー光（破線）及び、例えば７８０ｎｍの赤外光である第３レーザー光（一点鎖線）の波長が異なる２つの波長のレーザー光を放射するレーザーダイオードである。第２回折格子４は第２レーザーダイオード３から放射される第２レーザーまたは第３レーザー光が入射され、入射されるレーザー光を０次光であるメインビーム、＋１次光及び−１次光である２つのサブビームに分離する回折格子部（不図示）を有する。
【００４５】
第２レーザーダイオード３から放射される第２レーザー光または第３レーザー光は偏光ビームスプリッタ５の制御膜５ａに対してＳ偏光となるように設定される。この第２レーザー光または第３レーザー光の直線偏光方向の設定は、第２レーザーダイオード３を第２レーザー光または第３レーザー光の光軸を中心として回転させたり、あるいは１／２波長板を第２レーザーダイオード３と偏光ビームスプリッタ５との間に設けて１／２波長板により第２レーザーダイオード３から放射される第２レーザー光または第３レーザー光の直線偏光方向を変換させてもよい。
【００４６】
偏光ビームスプリッタ５は第１回折格子２を透過した第１レーザー光及び第２回折格子４を透過した第２レーザー光または第３レーザー光が入射される位置に設けられ、Ｓ偏光光のレーザー光を反射し、Ｐ偏光光のレーザー光を透過させる制御膜５ａが設けられている。
【００４７】
ハーフミラー６は偏光ビームスプリッタ５にて透過された第１レーザー光を略５０％反射させ、略５０％透過させる。偏光ビームスプリッタ５を反射した第２レーザー光または第３レーザー光を略５０％反射させ、略５０％透過させる。
【００４８】
１／４波長板７は、ハーフミラー６にて反射された３つのレーザー光が入射される位置に設けられ、入射されるレーザー光を直線偏光光から円偏光光に、また反対に円偏光光から直線偏光光に変換する作用を成すものである。コリメートレンズ８は１／４波長板７を透過したレーザー光が入射されるとともに入射されるレーザー光を平行光に変換し、収差補正用モーター９によって光軸方向、即ち矢印Ａ及びＢ方向へ変位せしめられるように構成されている。コリメートレンズ８の光軸方向への変位動作によって光ディスクＤの保護層の厚さに基づいて生じる球面収差を補正するように構成されている。
【００４９】
立ち上げミラー１０はコリメートレンズ８にて平行光に変換された３つのレーザー光が入射される位置に設けられており、入射されるレーザー光を対物レンズ３１の方向に反射させるように構成されている。
【００５０】
レーザー光は、対物レンズ３１の集光動作によって光ディスクＤの信号記録層に集光スポットとして照射され、信号記録層にて戻り光として反射される。
【００５１】
戻り光は、対物レンズ３１、立ち上げミラー１０、コリメートレンズ８及び１／４波長板７を通してハーフミラー６に入射される。このようにしてハーフミラー６に入射される戻り光は、ハーフミラー６にて略５０％反射され、略５０％制御用レーザー光としてハーフミラー６を透過することになる。
【００５２】
センサーレンズ１２はハーフミラー６を透過した制御用レーザー光が入射され、ＰＤ（Ｐｈｏｔｏ  Ｄｉｏｄｅ）ＩＣと呼ばれる光検出器１３に設けられている受光部に制御用レーザー光に非点収差を付加させて照射する作用を成すものである。光検出器１３には、周知の４分割センサー等が設けられており、メインビームの照射動作によって光ディスクＤの信号記録層に記録されている信号の読み取り動作に伴う信号生成動作及び非点収差法によるフォーカシング制御動作を行うためのフォーカスエラー信号生成動作、そして２つのサブビームの照射動作によってトラッキング制御動作を行うためのトラッキングエラー信号生成動作を行うように構成されている。斯かる各種の信号生成のための制御動作は、周知であるので、その説明は省略する。
【００５３】
図２を参照して、光ディスクＤは、１つの光ディスクＤとして示しているが、第１光ディスクＤ１、第２光ディスクＤ２、第３光ディスクＤ３の総称であり、実際には信号の読み出し動作や記録動作の対象となる第１光ディスクＤ１、第２光ディスクＤ２、第３光ディスクＤ３のいずれかが配置される。第１光ディスクＤ１は、光ディスクの表面から信号記録層Ｒ１までの距離が短く、第３光ディスクＤ３は光ディスクの表面から信号記録層Ｒ３までの距離が長く、第２光ディスクＤ２は、光ディスクの表面から信号記録層Ｒ２までの距離が第１光ディスクＤ１より長く第３光ディスクＤ３より短い。
【００５４】
斯かる構成において、第１レーザーダイオード１から放射された第１レーザー光は、第１回折格子２、偏光ビームスプリッタ５、ハーフミラー６、１／４波長板７、コリメートレンズ８、立ち上げミラー１０を介して（図１参照）、アクチュエータ３０およびレンズホルダー２０により支持される対物レンズ３１に入射される。第１レーザー光は、対物レンズ３１の集光動作によって第１光ディスクＤ１に設けられている信号記録層Ｒ１に集光スポットとして照射され、信号記録層Ｒ１に照射された第１レーザー光は信号記録層Ｒ１にて戻り光として反射される。
【００５５】
また、第２レーザーダイオード３から放射された第２レーザー光または第３レーザー光は、第２回折格子４、偏光ビームスプリッタ５、ハーフミラー６、１／４波長板７、コリメートレンズ８、立ち上げミラー１０を介して（図１参照）、対物レンズ３１に入射された後、アクチュエータ３０およびレンズホルダー２０により支持される対物レンズ３１に入射される。第２レーザー光または第３レーザー光は、対物レンズ３１の集光動作によって第２光ディスクＤ２に設けられている信号記録層Ｒ２または第３光ディスクＤ３に設けられている信号記録層Ｒ３に集光スポットとして照射され、信号記録層Ｒ２、Ｒ３に照射された第２レーザー光または第３レーザー光は信号記録層Ｒ２、Ｒ３にて戻り光として反射される。
【００５６】
図３は、レンズホルダー２０を支持するアクチュエータ３０の一例を示す図である。
【００５７】
レンズホルダー２０は例えば４本の支持ワイヤー５２によって支持されており、アクチュエータ３０は、光ディスクの信号記録層に対して垂直方向であるフォーカス方向及び光ディスクの径方向へレンズホルダーを変位を可能に支持する。
【００５８】
ここで、光ディスクの径方向とは、光ディスク上に配置されたアクチュエータ３０を基準とし、光ディスクの中心Ｃ０と外周を結ぶ、アクチュエータ３０下方の一の半径線の延在方向であり、図３における矢印Ｃ及びＤ方向（ラジアル方向）をいう。また、径方向と直角になる方向（矢印Ｅ及びＦ方向）を接線方向（タンデンシャル方向）とする。
【００５９】
レンズホルダー２０の側壁には、支持ワイヤー５２からフォーカス駆動信号が供給されるフォーカスコイル（不図示）が設けられ、光ピックアップ装置本体に固定されているマグネット（不図示）との協働によってレンズホルダー２０がフォーカス方向へ変位される。また、レンズホルダー２０にはレンズホルダー２０を径方向へ変位させるトラッキングコイル（不図示）が設けられている。
【００６０】
図４は、対物レンズ３１を示す図であり、図４（Ａ）が平面図、図４（Ｂ）が図４（Ａ）のｃ−ｃ線断面図である。図５は、第１の実施形態のレンズホルダー２０を示す図であり、図５（Ａ）が平面図、図５（Ｂ）が図５（Ａ）のｄ−ｄ線断面図、図５（Ｃ）（Ｄ）が図５（Ａ）のｅ−ｅ線断面図である。
【００６１】
図４を参照して、対物レンズ３１は、例えばＢＤ規格、ＤＶＤ規格およびＣＤ規格の光ディスクの信号の再生動作を行うレーザー光を１つの対物レンズ３１にて光ディスクの信号記録層に集光させる対物レンズ（ＢＤ／ＤＶＤ／ＣＤ互換の対物レンズ（開口数ＮＡ＝０．８５））であり、集光レンズ部３１ａと、該集光レンズ部３１ａの外側を囲む環状の鍔部３１ｂを有する。
【００６２】
図５を参照して、レンズホルダー２０は樹脂成形加工により成形され、取付孔２１と、周縁部２２と、３つの突起部２３１、２３２、２３３を有する。
【００６３】
取付孔２１は、例えば円形であり、対物レンズ３１の集光レンズ部３１ａが挿入される。周縁部（取付部）２２は、取付孔２１を囲んでその外周に設けられた例えば環状の領域であり、対物レンズ３１の鍔部３１ｂと略重畳する形状を有する。
【００６４】
突起部２３１、２３２、２３３は、周縁部２２の主面Ｓｆに互いに離間して３つ設けられ、周縁部２２の主面Ｓｆより突出した領域である。周縁部２２の主面Ｓｆは、レンズホルダー２０の設計上は平坦な環状の領域であるが、実際にはレンズホルダー２０の成形歪みや成形ばらつきにより、その主面Ｓｆは若干の歪みが生じている。
【００６５】
本実施形態の突起部２３１、２３２、２３３は、一般的なレンズホルダー２０の成形歪み及び成形ばらつきによって生じる支持部ＰＲの高低差Ｈ（一例として、０．７μｍ（角度差約０．１度））より高くなるように、周縁部２２の樹脂を選択的に突出させて形成する。
【００６６】
具体的には、周縁部２２に３つの突起部２３１、２３２、２３３が形成されるように、レンズホルダー２０の樹脂成形金型の周縁部の３箇所を選択的に例えば放電加工し、当該樹脂成形金型を用いてレンズホルダー２０を成形する。
【００６７】
突起部２３１、２３２、２３３は例えば図５（Ｃ）の如く断面形状においてそれぞれ高さｈ１、ｈ２、ｈ３の三角柱状に設けられる。この高さｈ１、ｈ２、ｈ３は、成形歪みおよび成形ばらつきによる支持部ＰＲの高低差Ｈを吸収できる高さであり、一例として１０μｍ〜５０μｍである。またこの場合、三角柱の頂点を突起頂点２３ｔと称する。
【００６８】
レンズホルダー２０の成形樹脂や充填密度によって、成形歪み（歪みの位置、方向、高低差）はレンズホルダー２０の全体としては同様に生じる傾向がある。そこで、レンズホルダー２０の成形樹脂や充填密度に応じて、歪みの傾向を把握し、歪みの高低差（支持部ＰＲの高低差Ｈ）を吸収できるように、突起部２３１、２３２、２３３の高さｈ１、ｈ２、ｈ３をそれぞれ選択する。
【００６９】
これにより、複数のレンズホルダー２０間で支持部ＰＲの位置や高さがばらついた場合であっても、対物レンズ３１を均一な位置及び高さに支持することができる。
【００７０】
また、突起部２３１（突起部２３２、２３３も同様）の形状は、図５（Ｄ）の如く、断面形状において台形状に設けられてもよく、この場合台形の上辺部を突起頂点２３ｔとする。
【００７１】
１つの突起部２３１は、例えば、取付孔２１の中心Ｃを通るレンズホルダー２０の基準線Ｅの上に設けられる。基準線Ｅとは、対物レンズ３１を搭載する際に基準となる線であり、ここでは対物レンズ３１のコマ収差を補正する場合に、コマ収差の発生方向を一の方向に揃えるための基準となる線をいう。基準線Ｅは一例として、その延在方向に光ディスクの中心Ｃ０が位置し、光ディスクの径方向と一致する（図３参照）。
【００７２】
図５（Ａ）を参照して、環状の周縁部２２は、平面視において、１つの突起部２３１と取付孔２１の中心（点Ｃ）を通る線分（すなわち基準線Ｅ）で二分割され、周縁部２２の一の半円弧上に他の突起部２３２が配置され、他の半円弧上に残りの突起部２３３が配置される。
【００７３】
好適には、突起部２３１、２３２、２３３は等間隔で離間して配置される。すなわち、突起部２３１、２３２、２３３は平面視において、点Ｃを中心として互いに隣り合う１２０度の方向に位置するように配置される。
【００７４】
この場合、突起部の１つ（突起部２３１）を、基準線Ｅ上に設けることにより、レンズホルダー２０を指示するアクチュエータ（図３）の径方向のチルト調整マージンが広がり、光ディスクの再生マージンを広げることができる。
【００７５】
図６を参照して、図５のレンズホルダー２０に、対物レンズ３１を搭載した場合について説明する。図６（Ａ）は、図５（Ａ）のｆ−ｆ線断面における取付孔２１部分の断面図であり、図６（Ｂ）は、図５（Ａ）のｄ−ｄ線断面における取付孔２１部分の断面図である。
【００７６】
３つの突起部２３１、２３２、２３３はいずれも周縁部２２の成形ばらつきや成形歪みによって生じる支持部ＰＲの高低差よりその高さｈ１、ｈ２、ｈ３が高いので、これらの突起頂点２３ｔによって対物レンズ３１の鍔部３１ｂが支持される。つまり、突起部２３１、２３２、２３３（の突起頂点２３ｔ）に、対物レンズ３１の鍔部３１ｂが当接し、３つの突起頂点２３ｔを含む一の平面が対物レンズ３１の搭載面（一点鎖線）となる。以下、３つの突起頂点２３ｔを含む一の平面を、対物レンズ３１の搭載の基準面ＥＳと称する。
【００７７】
突起部２３１、２３２、２３３の高さｈ１、ｈ２、ｈ３を、適宜選択することにより、対物レンズ３１の搭載の基準面ＥＳを周縁部２２の設計上の主面Ｓｆ（レンズホルダー２０の底面又は表面）に対して例えば水平とすることができる。つまり、レンズホルダー２０に対して対物レンズ３１が水平に配置されることとなる。
【００７８】
複数のレンズホルダー２０間において、それぞれの突起部２３１、２３２、２３３は平面視において環状の周縁部２２の同じ位置に設けられ（図５（Ａ））、その高さｈ１、ｈ２、ｈ３も等しく形成される。これにより、周縁部２２の表面に成形歪みや成形ばらつきが生じていても、これを吸収し、複数のレンズホルダー２０間において、対物レンズ３１を均一な位置および高さ（角度）に、安定して支持することができる。つまり、対物レンズ３１を搭載する基準面ＥＳが各レンズホルダー２０間で均一となる。
【００７９】
対物レンズ３１は、基準面ＥＳがレーザー光の光軸に対して適切な角度になるように傾きの調整がされる。本実施形態では、複数のレンズホルダー２０間において、基準面ＥＳが均一になるように対物レンズ３１を配置できるので、レンズホルダーの成形歪みや成形ばらつきに起因する対物レンズ３１の調整ばらつきを抑制できる。
【００８０】
尚、図５（Ｄ）の如く断面形状において台形状に突起部２３１、２３２、２３３を設ける場合には、突起頂点２３ｔとなる上面（台形の上辺部で構成される面）の面積が大きいと、その面での成形ばらつきによる支持部ＰＲが影響する場合が多くなるので、上面の面積（図５（Ｄ）における幅ｗ１）はなるべく小さいほうがよい。また、底部の幅ｗ２は、例えば高さｈ１、ｈ２、ｈ３と同等以上とする。
【００８１】
図７を参照して、レンズホルダー２０の第２の実施形態について説明する。図７は第２の実施形態を説明する断面図である。図７（Ａ）が図５（Ａ）のｆ−ｆ線断面に相当する取付孔２１部分の断面図であり、図７（Ｂ）が図７（Ａ）の状態における図５（Ａ）のｄ−ｄ線断面に相当する取付孔２１部分の断面図であり、いずれものレンズホルダー２０に対物レンズ３１を搭載した場合を示している。
【００８２】
１つのレンズホルダー２０内において、それぞれの突起頂点２３ｔを含む一の平面（基準面ＥＳ）を、周縁部２２の主面Ｓｆ（レンズホルダー２０の主面）に対して所定の角度で傾斜させるような高さで、突起部２３１、２３２、２３３を設けてもよい。
【００８３】
例えば図７（Ａ）の如く、いずれも周縁部２２の歪みを吸収する高さとした上で、１つの突起部２３１の高さｈ１を高く、突起部２３２の高さｈ２、突起部２３３の高さｈ３をいずれも同じ高さで且つ高さｈ１より低くなるように設ける。これにより、対物レンズ３１は、レンズホルダー２０の主面に対して傾斜する。そして、図７（Ｂ）の如く、レンズホルダー２０の基準線Ｅの断面においては、突起部２３１が最も高く、突起部２３１から１８０度の位置にある周縁部２２の点Ｐ（図５（Ａ））が最も低くなるように傾斜の角度αで傾斜させることができる。
【００８４】
つまり、突起部２３１、２３２、２３３と鍔部３１ｂが当接する対物レンズ３１は、基準線Ｅの断面形状において、基準面ＥＳを、レーザー光の光軸に垂直な面（破線で示す面）に対して所定の角度αで傾斜させることができる。
【００８５】
１つの対物レンズ３１の搭載の基準面ＥＳを、レーザー光の光軸に垂直な面に対して所定の角度αで傾斜させることにより、レーザー光の光軸に対して対物レンズ３１の光軸を適切な範囲に収めることができる。
【００８６】
対物レンズ３１は、レーザー光の入射面と出射面の成形時のずれや、対物レンズ３１の傾きによってコマ収差が発生する。つまりコマ収差は対物レンズを傾けて対物レンズの光軸をレーザー光の光軸から適切な範囲に収めることによって補正する事ができる。
【００８７】
本実施形態ではレンズホルダー２０の取付部である周縁部２２が予め傾斜した構成であるため、対物レンズ３１を搭載するだけで、個別の光ピックアップ装置、および個別の対物レンズのコマ収差補正の調整を大幅に低減できる。これにより、調整ばらつきや工数を削減でき、安価で実際上問題ない性能を持つ光ピックアップ装置を実現できる。
【００８８】
具体的には、所定の角度αは、コマ収差量をある程度吸収できる角度とする。そして傾斜方向に対物レンズ３１のコマ収差の発生方向が揃うように搭載し、固着する。ここで、傾斜方向とは、例えば図７（Ｂ）の矢印の如く、基準線Ｅの断面形状において突起部２３１（光ディスクの中心側）が最も高く、取付孔Ｃを中心とする点対称の位置にある周縁部２２の点Ｐ（光ディスクの外周側）が最も低くなるように傾斜の角度αで傾斜する方向である。
【００８９】
また、コマ収差量をある程度吸収できる角度として、傾斜角度αは対物レンズ３１の最大コマ収差発生量に相当する角度の２分の１の角度とする。
【００９０】
コマ収差量は、個々の対物レンズ３１により異なる。しかし突起部２３１、２３２、２３３の高さによって決定される対物レンズ３１の基準面ＥＳの傾斜角度αを、予め、最大コマ収差発生量に相当する角度の２分の１の角度とすることにより、その程度は異なるが、搭載される全ての対物レンズ３１のコマ発生量を大きく低減した事と同等の効果を得ることができる。
【００９１】
一例として、ＢＤ／ＤＶＤ／ＣＤ用規格の光ディスクに互換性を有する対物レンズ３１の場合、傾斜の角度αは、当該対物レンズ３１の最大コマ収差発生量に相当する角度（略０．５度）の２分の１の角度（０．２５度）である。
【００９２】
そして、対物レンズ３１を搭載する際には、コマ収差の発生方向が傾斜方向に揃うように、対物レンズ３１を回転して搭載する。
【００９３】
本実施形態では、基準線Ｅが径方向に一致し、傾斜方向も径方向に一致している。このように傾斜方向を、光ディスクの径方向に一致させることにより、コマ収差の方向を光ディスクの径方向に揃えることができる。
【００９４】
尚、ここでは１つの対物レンズ３１でＢＤ／ＤＶＤ／ＣＤ規格の光ディスクに互換性を有する対物レンズ３１について説明したが、ＢＤ用光ディスク、ＤＶＤ用光ディスクにそれぞれ対応した対物レンズであっても同様に実施できる。
【００９５】
例えば、ＢＤ用対物レンズの場合は、開口数ＮＡが同じであるため、上記の実施例と同様であるが、ＤＶＤ用対物レンズの場合は、傾斜の角度αが、ＤＶＤ用対物レンズの最大コマ発生量に相当する角度（略０．３度）の２分の１の角度（０．１５度）になるように、突起部２３１、２３２、２３３を設ける。
【００９６】
次に、図８から図１１を参照して、本発明の第３の実施形態について説明する。図８は、本発明の第３の実施形態の光ピックアップ装置の光学系の概略を示す図である。
【００９７】
１つのレンズホルダー２０に搭載する対物レンズは、複数であってもよい。ここでは一例として、ＢＤ規格の光ディスク(第１光ディスク)、ＤＶＤ規格の光ディスク(第２光ディスク)及びＣＤ規格の光ディスク(第３光ディスク)に対応した光ピックアップ装置において、２つの対物レンズが１つのレンズホルダーに組み込まれる場合を説明する。例えば、第１対物レンズ３１としてＢＤ用対物レンズを用い、第２対物レンズ３２として、ＤＶＤ／ＣＤ用対物レンズを用いる。
【００９８】
図８において、レーザーダイオード１は、第１波長、例えば４０５ｎｍの青色光である第１レーザー光（実線）を放射する。第１レーザー光は、第１回折格子２を介して偏光ビームスプリッタ３に入射される。偏光ビームスプリッタ３はＳ偏光された第１レーザー光を反射し、Ｐ方向に偏光された第１レーザー光を透過させる。
【００９９】
第１レーザー光は偏光ビームスプリッタ３の制御膜に対してＳ偏光となるように設定される。この第１レーザー光の直線偏光方向の設定は、レーザーダイオード１を第１レーザー光の光軸を中心として回転させたり、あるいは１／２波長板をレーザーダイオード１と偏光ビームスプリッタ３との間に設けて前記１／２波長板によりレーザーダイオード１から放射される第１レーザー光の直線偏光方向を変換させてもよい。
【０１００】
第１コリメートレンズ４は、偏光ビームスプリッタ３から反射されたレーザー光が入射され、レーザー光を平行光にする作用を成すとともにＢＤ規格の光ディスク（ここでは不図示）の保護層による球面収差を補正するために不図示のモータにより矢印Ａ及びＢ方向への変位を可能に設けられている。
【０１０１】
第１立ち上げミラー５は第１レーザー光が入射されるとともに第１レーザー光を反射させる。第１の１／４波長板６は第１レーザー光を直線偏光光から円偏光光に変換する。第１の１／４波長板６で円偏光光に変換された第１レーザー光は、第１光ディスクＤ１に設けられている信号記録層Ｒ１に集束させるべく設けられている第１対物レンズ３１へ入射される。
【０１０２】
第１対物レンズ３１にて第１光ディスクＤ１の信号記録層Ｒ１に集束された第１レーザー光は信号記録層Ｒ１から戻り光として反射されて第１対物レンズ３１に入射される。このようにして、第１対物レンズ３１に入射された戻り光は、第１の１／４波長板６、第１立ち上げミラー５及び第１コリメートレンズ４を介して偏光ビームスプリッタ３に入射される。
【０１０３】
戻り光は、偏光ビームスプリッタ３（の制御膜）を透過し、第１センサーレンズ（アナモフィックレンズ）８に信号が入射される。
【０１０４】
第１光検出器９は第１センサーレンズ８を通過した戻り光が集光されて照射される位置に３つの各レーザー光に対してそれぞれ設けられ、フォトダイオードが配列された４分割センサー等にて構成されている。
【０１０５】
２波長レーザーダイオード１０は第２波長、例えば６５０ｎｍの赤色光である第２レーザー光（破線）及び第３波長、例えば７８０ｎｍの赤外光である第３レーザー光（一点鎖線）の波長が異なる２つの波長のレーザー光を放射するレーザーダイオードである。
【０１０６】
第２レーザー光または第３レーザー光は、第２回折格子１１を透過して、ビームスプリッタ（ハーフミラー）１２に入射させる。ビームスプリッタ１２は、第２レーザー光または第３レーザー光を反射および第２レーザー光または第３レーザー光を透過させる制御膜（不図示）が設けられている。尚、ビームスプリッタ１２に換えて、偏光ビームスプリッタと１／２波長板を設けてもよい。
【０１０７】
第２レーザー光または第３レーザー光は、第２コリメートレンズ１４で平行光に変換され、第２立ち上げミラー１６に入射される。第２立ち上げミラー１６は、第２レーザー光（破線)を第２光ディスクＤ２に設けられている信号記録層Ｒ２に集束させるとともに第３レーザー光（一点鎖線）を第３光ディスクＤ３に設けられている信号記録層Ｒ３に集束させるべく設けられている第２対物レンズ３２方向へ反射させる。
【０１０８】
第２レーザー光または第３レーザー光は、第２の１／４波長板１３で直線偏光光から円偏光光に変換される。
【０１０９】
第２対物レンズ３２にて第２光ディスクＤ２の信号記録層Ｒ２または第３光ディスクＤ３の信号記録層Ｒ３に集束された第２レーザー光または第３レーザー光は信号記録層Ｒ２またはＲ３から戻り光として反射されて第２対物レンズ３２に入射される。このようにして、第２対物レンズ３２に入射された戻り光は、第２の１／４波長板１３、第２立ち上げミラー１６、第２コリメートレンズ１４を介してビームスプリッタ１２に入射される。
【０１１０】
ビームスプリッタ１２（の制御膜）を透過した戻り光は、センサーレンズ１８に入射され、第２光検出器１９に集光されて照射される。
【０１１１】
図９は、第３の実施形態のレンズホルダー２０を支持するアクチュエータ３０を示す平面図である。
【０１１２】
アクチュエータ３０の構成は、第１の実施形態に示すもの（図３）と略同様であるので、詳細な説明は省略するが、レンズホルダー２０は、例えば、第１対物レンズ３１用の第１取付孔２１と第２対物レンズ３２用の第２取付孔２４の中心Ｃ１、Ｃ２を結ぶ直線が、光ディスクの径方向（Ｃ方向及びＤ方向）に一致するように、アクチュエータ３０に支持される。ここでは、一例として第１取付孔２１と第２取付孔２４の中心Ｃ１、Ｃ２と光ディスクの中心Ｃ０が同一線上に位置する。
【０１１３】
図１０は、レンズホルダー２０を示す図であり、図１０（Ａ）が平面図であり、図１０（Ｂ）が図１０（Ａ）のｈ−ｈ線断面図である。また、図１１は、レンズホルダー２０に第１対物レンズ３１および第２対物レンズ３２を搭載した場合の、図１０のｈ−ｈ線断面図である。
【０１１４】
レンズホルダー２０は、第１対物レンズ取付領域ｒ１に、第１取付孔２１と、第１周縁部２２と、３つの第１突起部２３１、２３２、２３３が設けられ、第２対物レンズ取付領域ｒ２に、第２取付孔２４と、第２周縁部２５と、３つの第２突起部２６１、２６２、２６３が設けられる。
【０１１５】
第１対物レンズ取付領域ｒ１の構成は、第２の実施形態に記載の構成と同様であるのでその説明は省略する。
【０１１６】
第２対物レンズ取付領域ｒ２の構成も第１取付領域ｒ１の構成と略同様であるが、詳細は以下の通りである。
【０１１７】
第２取付孔２４は、例えば円形であり、第２対物レンズ３２の集光ンズ部３２ａが挿入される（図１１参照）。第２周縁部２５は、第２取付孔２４を囲んでその外周に設けられた例えば環状の領域であり、第２対物レンズ３２の鍔部３２ｂと略重畳する。
【０１１８】
第２取付孔２４と第１取付孔２１の、それぞれその中心Ｃ１、Ｃ２を通る第１基準線Ｅ１、第２基準線Ｅ２は、ここでは一例として一致し、またこれらは光ディスクの径方向に一致する。第１基準線Ｅ１と第２基準線Ｅ２は、第１対物レンズ３１、第２対物レンズ３２のコマ収差を補正する場合に、コマ収差の発生方向を一の方向に揃えるための基準となる線である。
【０１１９】
第２突起部２６１、２６２、２６３は、第２周縁部２５の主面Ｓｆに互いに離間して３つ設けられ、第２周縁部２５の主面Ｓｆより突出した領域である。第２突起部２６１、２６２、２６３は、第２周縁部２５の樹脂を選択的に突出させて（樹脂が突出する樹脂成形金型を用いて）形成する。第２突起部２６１、２６２、２６３は、一般的なレンズホルダー２０の成形歪み及び成形ばらつきによって生じる程度の高低差（支持部ＰＲの高低差Ｈ）より高くなるように、成形樹脂や充填密度などに応じてそれぞれの高さが適宜選択される。
【０１２０】
第２突起部２６１、２６２、２６３は例えば側面図において三角柱状または台形状に設けられる（図５（Ｃ）（Ｄ）参照）。
【０１２１】
１つの第２突起部２６１は、例えば、第２基準線Ｅ２の上に設けられる。環状の第２周縁部２５は、１つの第２突起部２６１と第２取付孔２４の中心Ｃ２を通る線分（すなわち第２基準線Ｅ２）で二分割され、第２周縁部２５の一の半円弧上と、他の半円弧上に他の２つの第２突起部２６２、２６３がそれぞれ配置される。
【０１２２】
好適には、第２突起部２６１、２６２、２６３は互いに隣り合う１２０度の方向に等間隔で位置するように配置される。
【０１２３】
第１突起部２３１は、第１基準線Ｅ２の上に設けられ、第２突起部２６１は、レンズホルダー２０の長辺に沿った同一線（第１基準線Ｅ１、第２基準線Ｅ２）上で第１突起部２３１と最も離間した位置に設けられる。レンズホルダー２０は、短辺方向より長辺方向に歪みが生じやすい。そこで、長辺方向で最も離間した位置に、第１突起部２３１と、第２突起部２６１を設けることで、長辺方向の歪みが発生した場合であっても、安定して第１対物レンズ３１と第２対物レンズ３２を搭載することができる。
【０１２４】
図１１を参照して、第１対物レンズ３１は、第１および第２の実施形態の対物レンズと同様である。第２対物レンズ３２は開口数ＮＡが０．６であるが、外観は図４に示す対物レンズとほぼ同様であり、集光レンズ部３２ａと、鍔部３２ｂを有する。
【０１２５】
第１対物レンズ３１は、例えば、第１基準線Ｅ１の断面において、１つの第１突起部２３１（光ディスクの中心Ｃ０側）の高さｈ１が最も高く、第１突起部２３１から１８０度の位置にある点Ｐ１（光ディスクの外周側）が最も低くなる傾斜方向で、第１基準面ＥＳ１が第１の角度αで傾斜するように３つの第１突起部２３１、２３２、２３３が設けられる。
【０１２６】
第２周縁部２５において、例えばいずれも歪みを吸収できる高さとした上で、１つの突起部２６１はその高さｈ４を低く、他の突起部２６２、突起部２６３はそれぞれの高さｈ５、ｈ６をいずれも同じ高さで且つ高さｈ４より高くなるように、設けられる。
【０１２７】
これにより、第２対物レンズ３２は、第２基準線Ｅ２の断面において、第２突起部２３６の高さｈ４が最も低く、第２突起部２６１から１８０度の位置にある点Ｐ２が最も低くなる傾斜方向で、第２の角度βで第２基準面ＥＳ２が傾斜する。
【０１２８】
第２突起部２６１、２６２、２６３の高さを適宜選択することにより、第２突起部２６１、２６２、２６３に鍔部３２ｂが当接する第２対物レンズ３２（の第２基準面Ｅ２）は、レーザー光の光軸に垂直な面（破線の面）対して所定の角度βで傾斜させることができる。この場合の傾斜方向は、第２基準線Ｅ２の断面形状において、第２突起部２６１（光ディスクの外周側）が最も低く、第２突起部２６１から１８０度の位置にある点Ｐ２（光ディスクの中心Ｃ０側）が最も高くなるように角度βで傾斜する方向（矢印の方向）となる。
【０１２９】
一例として、ＤＶＤ／ＣＤ用規格の光ディスクに互換性を有する対物レンズ（第２対物レンズ３２）の場合は、第２の角度βは、当該対物レンズの最大コマ収差発生量に相当する角度（略０．３度）の２分の１の角度（０．１５度）である。
【０１３０】
第２対物レンズ３２は、第２基準面ＥＳ２の傾斜方向に第２対物レンズ３２のコマ収差の発生方向が揃うように搭載し、固着される。
【０１３１】
本実施形態では、第２基準線Ｅ２が径方向に一致し、傾斜方向も光ディスクの径方向に一致している。これにより、第１対物レンズ３１と共にコマ収差の方向を光ディスクの径方向に揃えることができる。
【０１３２】
更に、複数のレンズホルダー２０間において、それぞれの第２突起部２６１、２６２、２６３は平面視において環状の第２周縁部２５の同じ位置に設けられる。高さｈ４、ｈ５、ｈ６も第２基準面ＥＳ２が第２の角度βで傾斜するように、設けられる。
【０１３３】
これにより、第２周縁部２５の表面に成形歪みや成形ばらつきで高低差が生じていても、複数のレンズホルダー２０間において、第２対物レンズ３２を均一な位置および高さ（第２の角度βで傾斜する高さ）で、安定して支持することができる。つまり、第２対物レンズ３２を搭載する第２基準面ＥＳ２が各レンズホルダー２０間で均一となるので、レンズホルダーの成形歪みや成形ばらつきに起因する、第２対物レンズ３２の調整ばらつきを低減できる。
【０１３４】
ＢＤ用対物レンズ及びＤＶＤ／ＣＤ用対物レンズを１つのレンズホルダー２０に搭載する場合、２つの対物レンズをそれぞれ最適な状態にて支持するためにレンズホルダー２０を支持するワイヤーに対する姿勢調整動作が行われる。このとき、一方の対物レンズによって姿勢調整動作を行うと他方の対物レンズの姿勢が最良にならないでジッター値が悪化するという問題が発生する。この原因は対物レンズの傾きに伴って発生するコマ収差にあることが確認されている。
【０１３５】
前述したコマ収差は、信号記録層の上面に設けられている保護層の厚さが厚くなるに従って大きくなり、対物レンズの開口数が大きくなるに従って大きくなり、またレーザー光の波長が短くなるに従って大きくなる特性がある。従って、前述した各種の光ディスクの規格の中の対物レンズでは、ＢＤ用対物レンズのコマ収差が最も大きくなることになる。
【０１３６】
つまり、ＢＤ用対物レンズ及びＤＶＤ／ＣＤ用対物レンズを１つのレンズホルダー２０に搭載すると、２つの対物レンズのコマ収差が異なるため、相対的なコマ収差が大きくなる問題がある。
【０１３７】
例えば、開口数ＮＡ＝０．８５の第１対物レンズ３１（ＢＤ用対物レンズ）とＮＡ＝０．６５以下の第２対物レンズ３２(ＤＶＤ／ＣＤ用対物レンズ)を一つのレンズホルダー２０に搭載する場合、前者のコマの成形ばらつきは略±０．０５λ、後者は±０．０３λが一般的な発生量である。従って２つの対物レンズの相対コマ量は±０．０８λとなる。
【０１３８】
コマは対物レンズを傾けることにより補正する事ができ、例えば０．０１λのコマの補正は略０．１度の傾斜で吸収することができる。この場合、夫々の固定ばらつきを±０．２度とすると最大の相対コマ量は１．２度になり、一つのレンズホルダー２０に２つの対物レンズを搭載して同時にコマ収差を補正すると、性能破綻を招く。
【０１３９】
そこで従来では、２つの対物レンズのコマ収差をそれぞれ確認し、コマ収差の発生方向の調整と、コマ収差を打ち消すために対物レンズを傾ける調整を個別に行っている。
【０１４０】
具体的には、対物レンズの鍔部が搭載される周縁部に曲率を設けたレンズホルダーを用いて一方のレンズ（例えばＤＶＤ用対物レンズ）を搭載してコマ収差の角度と方向をそれぞれ調整して固着するか、あるいはレンズが浮いた状態で搭載されるレンズホルダーを用いて、一方のレンズを搭載してコマ収差の角度と方向をそれぞれ調整して空中接着し、他方のレンズ（例えばＢＤ用レンズ）はコマ収差の方向をそれぞれ調整して固着した上で、レンズホルダーが搭載されるアクチュエータをＢＤ用レンズのコマ収差の角度を打ち消すように傾けて、２つの対物レンズのコマ収差を補正している。
【０１４１】
更に上記の調整は個々の光ピックアップ装置について行わなければならず、２つの対物レンズのコマ収差の調整が大変煩雑で調整ばらつきや工数が増大するなどの問題があった。
【０１４２】
本実施形態では、図１１の如く、第１対物レンズ３１の第１基準面ＥＳ１をレーザーの光軸に垂直な面に対して第１の角度αで傾斜させ、第２対物レンズ３２の第２基準面ＥＳ２を、レーザーの光軸に垂直な面対して第２の角度βで傾斜させる。これにより、両対物レンズの光軸をレーザー光の光軸に対して適切な範囲に収めることができ、両対物レンズの最大コマ収差発生量を低減し、相対コマ量も小さくすることができる。
【０１４３】
第１の角度αは、第１対物レンズ３１（ＢＤ用対物レンズ）の最大コマ収差発生量（例えば±０．０５λ）に対応する補正角度（略０．５度）の２分の１であり、例えば第１レーザー光の光軸に垂直な面から０．２５度である。
【０１４４】
第２の角度βは、第２対物レンズ３２（ＣＤ／ＤＶＤ用対物レンズ）の最大コマ収差発生量（例えば±０．０３λ）に対応する補正角度（略０．３度）の２分の１であり、例えば第２レーザー光の光軸に垂直な面から０．１５度である。
【０１４５】
これにより、第１対物レンズ３１と第２対物レンズ３２の最大の相対コマ量を低減できるので、コマの成形ばらつきを補正でき、対物レンズのコマ発生量を大きく低減した事と同等の効果を得ることができる。
【０１４６】
尚、第１対物レンズ３１は、第１基準線Ｅの上に第１のコマ収差の発生方向が揃うように、すなわち、第１基準面ＥＳ１の傾斜方向にコマ収差の発生方向が揃うように、固定される。また、第２対物レンズ３２は第２基準線Ｅ２の上に第２のコマ収差の発生方向が揃うように、すなわち、第２基準面ＥＳ２の傾斜方向にコマ収差の発生方向が揃うように、固定される。
【０１４７】
これにより、第１対物レンズ３１のコマ収差の発生方向と第２対物レンズ３２のコマ収差の発生方向とが光ディスクの径方向に揃うように、レンズホルダー２０上に固定される。
【０１４８】
尚、上記の実施形態では、例えば（第１）対物レンズ３１の基準面が所定の角度αで傾斜するように、（第１）突起部２３１の高さｈ１を他の（第１）突起部２３２、２３３の高さｈ２、ｈ３より高く設ける場合を例に説明した。
【０１４９】
しかしこれに限らず、突起部２３１、２３２、２３３の高さを、当初は対物レンズ３１の基準面ＥＳが水平になるような高さに形成しておき、対物レンズ３１を搭載した後、突起部２３１、２３２、２３３に例えば超音波振動などの外部エネルギーを与えながら対物レンズ所定の角度αになるように押し込み、対物レンズ３１が傾斜して支持されるように突起部２３１、２３２、２３３を設けてもよい。第２対物レンズ３２用の第２の突起部２６１、２６２、２６３についても同様である。
【０１５０】
また、上記の実施形態ではコマ収差の発生方向を揃える基準線Ｅ（第１基準線Ｅ１、第２基準線Ｅ２）を光ディスクの径方向としたが、これに限らず、光ディスクの接線方向や、接線方向から４５度の方向に基準線を設けてもよい。
【０１５１】
更に、第３の実施形態において、第２取付孔２４と第１取付孔２１は、その中心を通る直線が例えば光ディスク接線方向に沿う（平行となる）ように、配置されてもよい。この場合は、基準線Ｅ（第１基準線Ｅ１、第２基準線Ｅ２）は接線方向に設けるとよい。
【符号の説明】
【０１５２】
２０    レンズホルダー
２１  （第１）取付孔
２２  （第１）周縁部
２３１、２３２、２３３  （第１）突起部
２４    第２取付孔
２５    第２周縁部
２６１、２６２、２６３  第２突起部
３０    アクチュエータ
３１  （第１）対物レンズ
３２    第２対物レンズ
５０    光ピックアップ装置
５２    支持ワイヤー
【図１】
2011181132.tif 000003
【図２】
2011181132.tif 000004
【図３】
2011181132.tif 000005
【図４】
2011181132.tif 000006
【図５】
2011181132.tif 000007
【図６】
2011181132.tif 000008
【図７】
2011181132.tif 000009
【図８】
2011181132.tif 000010
【図９】
2011181132.tif 000011
【図１０】
2011181132.tif 000012
【図１１】
2011181132.tif 000013
【図１２】
2011181132.tif 000014